(57)【要約】【課題】  従来は、人工爪の表面にしかデザインの表現方法がなかったつけ爪に対して、奥行きを出し、空間感のある表現方法を付加して、人工爪に実用性と新規性を提供する。【解決手段】  透明部材で湾曲した爪状のネイルチップ（１）と、ネイルチップ（１）の内部（５）に、装着可能な装飾板（２）を設けた付け爪。ネイルチップの内部空間と表面部材上でアートに多面性を創り、付加価値をプラスすることを特徴とする。【選択図】  図１
2005230501.tif 000002
【特許請求の範囲】
【請求項１】
透明部材で湾曲した爪状のネイルチップ（１）と、ネイルチップ（１）の内部（５）に、装着可能な装飾板（２）を設けた付け爪。
【請求項２】
透明部材で湾曲した爪状のネイルチップ（９）と、ネイルチップ（９）の内部（１１）に、装着可能な装飾模様を施したシート状の部材（１０）を設けた付け爪。
【請求項３】
透明部材で湾曲した爪状のネイルチップ（１８）と、ネイルチップ（１８）の内部（１６）に、出し入れ可能な細かな部材（１９）を設け、開口部（１５）を、ストッパー（１７）で閉じた付け爪。
【請求項４】
透明部材で湾曲した爪状のネイルチップ（２０）と、ネイルチップ（２０）の内部（２２）に、装飾部材（２３）を入れ、開口部（２１）を密閉した付け爪。
【発明の詳細な説明】
【技術分野】
【０００１】  本発明は、袋状のネイルチップにすることにより、ネールアートを多重構造アートとし、特に装飾効果を高めるための特徴のある模様の形成を容易かつ効果的に行うことを可能とする装飾用付け爪に関するものである。
【背景技術】
【０００２】  従来の一般的な装飾用付け爪として、たとえば図６に示すように、爪状に湾曲したシート状の樹脂素材からなる付け爪の表面に模様を構成して印刷層を形成した付け爪がある。この付け爪は図６に示すように、付け爪の裏面と人の爪の表面を、例えば画面テープやネイルグルーと呼ばれる、付け爪用の接着剤で爪に貼着し使用されている。【０００３】  また、上記従来の一般的な付け爪に関しては、ネイルチップの一部を多層構造にする付け爪も提案されている。（たとえば特許文献１参照）
更に、上記の付け爪の他に、ネイルチップを中空カプセルとした多層構造にする付け爪も提案されている。（たとえば特許文献２参照）
【特許文献１】      特開２００３−３０４９２７号  公報
【特許文献２】      特開平９−２６６８１５号  公報
【発明の開示】
【発明が解決しようとする課題】
【０００４】  これには、次のような欠点があった。
図６に示した上記一般的な付け爪は、印刷により種々の模様を形成することが可能であるが、付け爪基体を湾曲させる工程の前に模様を印刷すると、湾曲させるための工程において印刷層が破損するか変色するなど美観を損ねるため、湾曲した付け爪基体の１個１個の表面に印刷を施すことが必要であり、そのために生産効率が悪く低コストで量産は難しかった。また、印刷面が表面にあることで、直接外気や埃・水などと接触することにより、模様の保存を長期にわたって維持することが困難だった。【０００５】  また、付け爪の表面のみにしか、デザイン表現する方法がなく、一般的な付け爪はデザインを自分で変えることが難しく、種類がまだ少ない。自身で付け爪自体に着色する際にも、塗りむらが出ることが多く、自分でつけ爪をデザインし作製するのに手間と時間がかかった。【０００６】  上記特開２００３−３０４９２７公報において提案されている多層構造の付け爪では、ロケットを使った多層構造により、付け爪自体に変化をもたらすという上記従来の問題点は解決され得るものの、一部のみの爪の変化しかもたらすことが困難であり、爪の一部の突起によって、使用の際に引っかかりはずれてしまう事も多かった。【０００７】  上記特開平９−２６６８１５公報において提案されている多層構造の付け爪では、模様を構成する要素が露出されていないことによって、上記従来の問題点は解消され得るものの、完全密閉で流通するため、使用側が独自で多層構造に変化をもたらすことが困難であった。
本発明は、これらの欠点を除くためになされたものである。
【課題を解決する為の手段】
【０００８】  透明部材で湾曲した爪状のネイルチップ（１）と、ネイルチップ（１）の内部（５）に、装着可能な装飾板（２）を設けた付け爪。
【０００９】  このように構成されることにより、装飾部材を外部環境から影響されることなく、装飾構成部材に施された模様などの装飾を、長期間美観を損ねることなく維持することができる。また、水などから内部空間（５）の装飾（７）を守るためには、薄くトップコートか透明接着剤を、開口部（４）をつまみ（３）で留めた後でコートとして防水する。
【００１０】  本発明の装飾用付け爪の好ましい実施例においては、上記の装飾模様（７）を施した表示板（２）の代わりに、装飾を施したシート状の物（１０）を直接刺しこみ、水などから内部空間の装飾を守るためには、薄くトップコートか透明接着剤を、開口部（１１）のコートとして防水することにより、装飾部材（１０）を外部環境から影響されることなく、装飾構成部材（１０）に施された模様などの装飾を、長期間美観を損ねることなく維持することができる。
【００１１】  本発明の装飾用付け爪の好ましい実施例においては、上記の装飾模様を施したシート状の物（１０）の代わりに、細かな装飾部材（１９）を直接入れ、開口部（１５）のストッパー（１７）で留め、水などから内部空間（１６）の装飾（１９）を守るためには、薄くトップコートか透明接着剤を、開口部（１５）をストッパー（１７）で留めた後でコートとして防水することにより、装飾部材（１９）を外部環境から影響されることなく、長期間美観を損ねることなく維持することができる。
【００１２】  本発明の装飾用付け爪の好ましい実施例においては、上記の細かな装飾部材（１９）だけでなく、液体や粉末状の物など（２３）も入れ、密閉して使用することにより、装飾部材（２３）を外部環境から影響されることなく、長期間美観を損ねることなく維持することができる。
【発明の効果】
【００１３】  本発明は、以上説明したように構成されているので、以下に記載するような効果を奏する。
（イ）装飾部が内部にあることにより、装飾の劣化が軽減され、美観が損なわれることなく維持することが可能となる。
（ロ）装飾効果を高めるための特徴のある模様の形成を容易かつ効果的に行うことを可能とする。
（ハ）ネイルチップの内部に装飾部材を設けることにより、ネールアートを多重構造アートを可能とする。
（ニ）ネイルチップ全体使用により、表面上の凹凸が減少し、付け爪使用の際に引っかけることで剥がれやすさは軽減される。
【発明を実施するための最良の形態】
【００１４】  以下、本発明の実施の形態について説明する。
この実施形態のネイルチップ（１）では、図１に示すように、全体としては、透明部材で湾曲した構造を有している。このネイルチップ（１）では断面図１（ｂ）から分かるように、透明で湾曲した内部空間（５）を形成した中空構成を成している。ネイルチップ（１）の内部空間（５）には、表示板（２）を開口部（４）から刺しこみ、つまみ（３）にてその開口部（４）を閉じる。また、内部空間（５）にいれる装飾模様（７）を生活防水の目的から、つまみ（３）の周囲は薄くトップコートか透明接着剤を設けてコートとして防水する。
【実施例１】
【００１５】  上記実施形態のネイルチップ（１）では、内部空間（５）内に刺しこむ表示板（２）には、奥までそれ自体では差し込み難い軟質の物（７）を表示板（２）に設けた上で、開口部（４）より刺しこみ、つまみ（３）にてその開口部（４）を閉じる。また、内部空間（５）内にいれる装飾模様（７）を生活防水の目的から、つまみ（３）の周囲は薄くトップコートか透明接着剤を設けてコートとして防水する。
【実施例２】
【００１６】  次に、本発明の第２実施例を図３にて説明する。
この実施形態のネイルチップ（９）では、図３に示すように、全体としては、透明部材で湾曲した構造を有している。このネイルチップ（９）では断面図３（ｂ）から分かるように、透明で湾曲させた内部空間（１１）を形成した中空構成を成している。ネイルチップ（９）の内部空間（１１）に、装飾を施したシート状の物（１０）を開口部（１２）から直接刺しこみ、内部空間（１１）内にいれる装飾模様（１０）を生活防水の目的から、開口部（１２）の周囲は薄くトップコートか透明接着剤を設けてコートとして防水する。
【実施例３】
【００１７】  また、本発明の第３実施例を図４にて説明する。
この実施形態のネイルチップ（１４）では、図４に示すように、全体としては、透明部材で湾曲した構造を有している。このネイルチップ（１４）では断面図４（ｂ）から分かるように、透明で湾曲させた内部空間（１６）を形成した中空構成を成している。ネイルチップ（１４）の内部空間（１６）に、細かな装飾部材（１９）を開口部（１５）から直接入れ、ストッパー（１７）にて開口部（１５）を留める。また、内部空間（１６）内にいれる装飾模様を生活防水の目的から、ストッパー（１７）の周囲は薄くトップコートか透明接着剤を設けてコートとして防水する。
【実施例４】
【００１８】  また、本発明の第４実施例を図５にて説明する。
この実施形態のネイルチップ（２０）では、図５に示すように、全体としては、透明部材で湾曲した構造を有している。このネイルチップ（２０）では断面図５（ｂ）から分かるように、透明で湾曲させた内部空間（２２）を形成した中空構成を成している。ネイルチップ（２０）の内部空間（２２）に、細かな装飾部材や液体・粉末（２３）を開口部（２１）から直接入れ、開口部（２１）を密閉して防水する。
【図面の簡単な説明】
【００１９】
【図１】（ａ）本発明の第１実施例の付け爪の斜視図  （ｂ）（ａ）のａ−ａ’線断面図  （ｃ）（ａ）のｂ−ｂ’線断面図
【図２】（ａ）付け爪を人の爪に貼り付けようとする斜視図  （ｂ）付け爪を人の爪に貼り付けた状態を示す斜視図
【図３】（ａ）本発明の第２実施例の付け爪の斜視図  （ｂ）（ａ）のａ−ａ’線断面図  （ｃ）（ａ）のｂ−ｂ’線断面図
【図４】（ａ）本発明の第３実施例の付け爪の斜視図  （ｂ）（ａ）のａ−ａ’線断面図  （ｃ）（ａ）のｂ−ｂ’線断面図
【図５】（ａ）本発明の第４実施例の付け爪の斜視図  （ｂ）（ａ）のａ−ａ’線断面図  （ｃ）（ａ）のｂ−ｂ’線断面図
【図６】（ａ）従来の一般的な装飾用付け爪の平面図  （ｂ）（ａ）のａ−ａ’線断面図  （ｃ）（ａ）のｂ−ｂ’線断面図
【符号の説明】
【００２０】    １，９，１４，２０，２５，２７，２８  付け爪
２  表示板
３  つまみ
４，１２，１５，２１  開口部
５，１１，１６，２２  内部空間
６，１３，１８，２４  上側部材
７  装飾模様を施した部材
８，２９  人の爪
１０  装飾模様を施したシート状の部材
１７  ストッパー
１９  細かな装飾部材
２３  液体・粉末などの装飾部材
２６  装飾模様
【図１】
2005230501.tif 000003
【図２】
2005230501.tif 000004
【図３】
2005230501.tif 000005
【図４】
2005230501.tif 000006
【図５】
2005230501.tif 000007
【図６】
2005230501.tif 000008